(57)【要約】【課題】従来の枯葉避けネットを取り付けるための係止部を有する特別な軒樋吊具を必要とすることなく、極めてシンプルな軒樋吊具とは別構造の係止具を使用することにより、枯葉避けネットの取り付け取外しを容易に行うことができる枯葉避けネット取り付け軒樋構造を提供する。【解決手段】軒樋が軒樋内部を吊具で支持されてなる軒樋構造において、軒樋に沿って軒樋吊具と軒先との間を閉塞するように筒状ネット体が配置され、軒樋吊具と筒状ネット体とが、一端部に通孔を有する金属長尺体からなる係止具により抱持されて、係止具の他端部を一端部の通孔に通して折り曲げられて取り付けられていることを特徴とする。【選択図】  図１
2005325571.tif 000002
【特許請求の範囲】
【請求項１】
軒樋が軒樋内部を吊具で支持されてなる軒樋構造において、軒樋に沿って軒樋吊具と軒先との間を閉塞するように筒状ネット体が配置され、軒樋吊具と筒状ネット体とが、一端部に通孔を有する金属長尺体からなる係止具により抱持されて、係止具の他端部を一端部の通孔に通して折り曲げられて取り付けられていることを特徴とする枯葉避けネット取り付け軒樋構造。
【請求項２】
前記筒状ネット体が長さ方向に重ね合わされ、その重ね合わせ部で前記係止具がネットの網目を通して径方向に挿通され、折り返して反対方向に挿通され、係止具の他端部を一端部の通孔に通して折り曲げられて連結されている請求項１記載の枯葉避けネット取り付け軒樋構造。
【発明の詳細な説明】
【技術分野】
【０００１】
本発明は、軒樋に枯葉やゴミ等が入り込んで、軒樋の雨水の流れが堰止められたり、竪樋に流れ込んで竪樋を詰まらせることにより、雨水が排水されずに、軒樋の途中から雨水が流れ落ちることを防止した枯葉避けネット取り付け軒樋構造に関する。
【背景技術】
【０００２】
従来、軒樋へ枯葉やゴミが入って軒樋が詰まり、軒樋から雨水が溢れだすことがあった。軒樋への枯葉やゴミの侵入を防ぐ方法として、円筒状のネット体を軒樋の開口部に配置し、この円筒状のネット体を軒樋の吊具に銅線で縛り付けることが行われていた。しかし、円筒状のネット体を軒樋吊具に銅線で縛り付けてしまうと、ネット上に溜まった枯葉やゴミを取り除くために円筒状ネット体を取り外そうとしても、銅線で縛り付けられているので、簡単には取り外せない、という問題点があった。
【０００３】
上記の問題を解消した発明として、軒樋吊具に枯葉避けネットを取り付けることができる係止部を形成して、枯葉避けネットを取り付け取外し容易にしたものが提案されている（例えば、特許文献１〜５参照。）。
【０００４】
【特許文献１】特開平１１−３６５２９号公報（特許請求の範囲、図１〜２）
【特許文献２】特開平１１−２７００７３号公報（特許請求の範囲、図１〜３）
【特許文献３】特開平１１−２８０２１５号公報（特許請求の範囲、図１〜８）
【特許文献４】特開２０００−３８８１６号公報（特許請求の範囲、図１〜８）
【特許文献５】特開２０００−８７５１９号公報（特許請求の範囲、図１〜６）
【発明の開示】
【発明が解決しようとする課題】
【０００５】
しかし、上記特許文献１〜５記載の枯葉避けネット取付構造においては、軒樋吊具にネットを取り付けるための係止部を形成したものが必要となるため、枯葉避けのネットを取り付けるための軒樋吊具として、通常に使用される軒樋吊具と別構造の複雑な形状の軒樋吊具を別途製造しなければならないという問題が生じ、コストアップとなると共に、軒樋の取り付け場所に対応して軒樋吊具を使い分けしなければならないという、面倒なことが起きる。
【０００６】
本発明は、上記従来の枯葉避けネットを取り付けるための係止部を有する特別な軒樋吊具を必要とすることなく、極めてシンプルな軒樋吊具とは別構造の係止具を使用することにより、枯葉避けネットの取り付け取外しを容易に行うことができる枯葉避けネット取り付け軒樋構造を提供することを目的とする。
【課題を解決するための手段】
【０００７】
請求項１記載の枯葉避けネット取り付け軒樋構造は、軒樋が軒樋内部を吊具で支持されてなる軒樋構造において、軒樋に沿って軒樋吊具と軒先との間を閉塞するように筒状ネット体が配置され、軒樋吊具と筒状ネット体とが、一端部に通孔を有する金属長尺体からなる係止具により抱持されて、係止具の他端部を一端部の通孔に通して折り曲げられて取り付けられていることを特徴とする。
【０００８】
また、請求項２記載の枯葉避けネット取り付け軒樋構造は、請求項１記載の枯葉避けネット取り付け軒樋構造において、前記筒状ネット体が長さ方向に重ね合わされ、その重ね合わせ部で前記係止具がネットの網目を通して径方向に挿通され、折り返して反対方向に挿通され、係止具の他端部を一端部の通孔に通して折り曲げられて連結されているものである。
【発明の効果】
【０００９】
本発明の請求項１記載の枯葉避けネット取り付け軒樋構造は、軒樋に沿って軒樋吊具と軒先との間を閉塞するように筒状ネット体が配置され、軒樋吊具と筒状ネット体とが、一端部に通孔を有する金属長尺体からなる係止具により抱持されて、係止具の他端部を一端部の通孔に通して折り曲げられて取り付けられているので、筒状ネット体の軒樋吊具への取り付けは、軒樋吊具の下方を通して筒状ネット体の上方に係止具を回して軒樋吊具と円筒ネット体とを抱持し、係止具の他端部を一端部の通孔に通して折り曲げるだけでよく、円筒ネット体の取り付けを簡単に行うことができる。
また、係止具の他端を一端部の通孔に通して折り曲げるだけで取り付けられているので、筒状ネット体を取り外す時にも係止具の折り曲げを元に戻して通孔から引き抜けばよく、取外しも簡単である。従って、筒状ネット体の上に枯葉が積もることがあっても、その時には、筒状ネット体を取り外して枯葉を除去できるので、掃除が簡単となる。
また、係止具は一端部に通孔を有する金属長尺体でよく、金属板または金属線材のプレス加工で製造できるので安価であり、軒樋吊具は通常の物を使用するので、取り付け間違いなく施工できる。
【００１０】
また、請求項２記載の枯葉避けネット取り付け軒樋構造は、請求項１記載の枯葉避けネット取り付け軒樋構造において、前記筒状ネット体が長さ方向に重ね合わされ、その重ね合わせ部で前記係止具がネットの網目を通して径方向に挿通され、折り返して反対方向に挿通され、係止具の他端部を一端部の通孔に通して折り曲げられて連結されているので、軒樋の長さが長くても筒状ネット体を長手方向に延長でき、途中で隙間を生じることなく筒状ネット体を施工できる。
【発明を実施するための最良の形態】
【００１１】
以下、本発明を実施するための最良の形態を図面に示す実施例に基づいて説明する。
図１は本発明の枯葉避けネット取り付け軒樋構造の一例を示す横断面図である。
図で、１は軒樋、２は軒樋吊具、３は筒状ネット体、４は係止具、５は建物、５１は建物の鼻隠し板、５２は軒先である。軒樋１は、鼻隠し板５１に取り付けられている軒樋吊具２の耳保持部２１、２２に、軒樋１の両耳部１１、１２を係止させて取り付けられ、軒樋吊具２の上面板２３には筒状ネット体３が配置されて、係止具４により、筒状ネット体３と軒樋吊具２の上面板２３とが抱持されて取り付けられている。
【００１２】
係止具４は図２に示すように、厚さ０．５ｍｍ、幅３ｍｍのステンレス板の一端部４１に広幅部４２が形成され、ここに通孔４３が設けられ、他端部４４は半円形となされている。この係止具４は折り曲げ、曲げ伸ばしが自在な材質、厚さ、幅、太さのものであればよい。また、係止具４の長さＬは、筒状ネット体３を抱持して他端部４４を通孔４３に通して折り曲げられるだけの長さがあれば良いが、係止具４で筒状ネット体３をしっかりと取り付けるには、他端部４４を通孔４３に通した後で他端部４４を手で引っ張れるだけの余裕があるのが好ましい。例えば、筒状ネット体３の外周長の１．５倍程度の長さとするのが好ましい。
【００１３】
筒状ネット体３はこの係止具４を用いて軒樋吊具２に取り付けられているが、筒状ネット体３の取り付け順序は次の通りである。
先ず、屋根の軒先５２に沿う鼻隠し板５１に適宜間隔をおいて軒樋吊具２、２、・・・が取り付けられ、この軒樋吊具２、２、・・・の耳保持部２１、２２に、軒樋１の耳部１１、１２が挿入されて軒樋１が取り付けられる。
【００１４】
次に、軒樋１の長さと同じ長さの筒状ネット体３を用意し、軒樋吊具２、２、・・・と軒先５２との間を閉塞するようにこの筒状ネット体３を軒樋吊具２、２、・・・上に配置し、この筒上ネット体３を各軒樋吊具２の位置で、軒樋吊具２と筒状ネット体３とを抱持するようにして係止具４で取り付ける。
【００１５】
係止具４を軒樋吊具２の下側を通して筒状ネット体の外周を抱持し、係止具４の他端部４４を一端部４１に設けられている通孔４３に通して締付けた状態で、係止具４を通孔４３の位置で折り曲げる。係止具４の他端部４４は筒状ネット体３の網目から筒状ネット体３の内部に差し込んでおくと、係止具４が目立たないので好ましい。
係止具４は金属長尺体からなるものであるから、折り曲げるとその状態を維持するし、また、曲げ伸ばしが簡単にできるので、取り扱いやすく、筒状ネット体３の取り付けを容易に行うことができる。
【００１６】
筒状ネット体３を軒樋吊具２にしっかりと取り付けるには、軒樋吊具２の上側板２３に筒状ネット体３が嵌まり合う凹陥部が設けられているものが好ましい。係止具４は軒樋吊具２の下側を通せばよいが、筒状ネット体３に近い上面板２３の下側を通すのが安定して取り付けられる。
【００１７】
係止具４は筒状ネット体３を軒樋吊具２に取り付けるときに、両者を抱持するよう取り付けてもよいが、筒状ネット体３を軒樋吊具２、２、・・・上に配置する前に、それぞれの軒樋吊具２の下側を通して通孔４３のある一端部を軒先５２の隙間に差し込み、他端部４４側を軒樋１の耳部１１に沿って下方に折り曲げて取り付けておき、それから筒状ネット体３を配置すると、係止具４の取り付けが簡単に行える。
【００１８】
筒状ネット体３は、予め筒状に形成されているものであっても、長尺の平板状のネットを丸めて筒状ネット体に形成したものでもよい。使用する筒状ネット体３の長さが軒樋１の長さより短いときには、筒状ネット体３同志を連結して軒樋１の長さにあった長さとしてから軒樋吊具２、２、・・・上に配置するのがよい。
【００１９】
筒状ネット体３同志を連結するには、一方の筒状ネット体３の端部に他方筒状ネット体３の端部を差し込み、端部同志を重ね合わせ、重ね合わせ部が抜けないように係止具４ａで固定されるのが好ましい。
筒状ネット体３同志の重ね合わせ部を固定するには、係止具４ａの他端部４４ａを重ね合わせ部の網目を通して略径方向に挿通し、この他端部４４ａを折り返して別の網目を通して反対方向に挿通する。これにより、重ね合わせ部が抜けることがない。係止具４ａを筒状ネット体３から抜けないように、他端部４４ａを一端部にある通孔４３ａに通して他端部４４ａを通孔４３ａの位置で折り曲げておく。折り曲げ片となる他端部４４ａは筒状ネット体３の内部に差し込んでおくと見栄えがよい。
尚、係止具４ａを筒状ネット体３の重ね合わせ部に挿通するのは、重ね合わせ部の長手方向の２ヶ所で折り返されても、交差するように挿通されて折り返されてもよい。要は係止具４ａの他端部４４ａを筒状ネット体の重ね合わせ部の網目に挿通して網目がずれて抜けないようになっていればよい。
【００２０】
そして、枯葉が屋根や樋に落ち、雨で流されてきても、軒先５２から筒状ネット体３の上に溜まることになり、雨水は枯葉の隙間を通って軒樋１に流れ込み、軒樋１から竪樋に流れて排水され、軒樋１から雨水が流れ落ちることがない。
枯葉が筒状ネット体３上を覆って雨水が軒樋１に流れ込み難くなったら、枯葉を取り除く。枯葉が筒状ネット体３にくっついて取り除き難いときには、係止具４を取り外して筒状ネット体３を取り出し、箒で取り除くか散水して取り除けばよい。
係止具４を取り外すには、筒状ネット体３内に差し込まれている係止具４の他端部４４を摘んで引出し、一端部４１の通孔４３から抜き出せばよい。係止具４は金属長尺体からなるので、簡単に変形させて取り外すことができる。
掃除した筒状ネット体３は最初の取り付けのときと同様にして取り付ければよい。係止具４は多少変形していても機能的には変わらないので、繰り返し使用できる。
【図面の簡単な説明】
【００２１】
【図１】本発明の枯葉避けネット取り付け軒樋構造の一例を示す横断面図である。
【図２】本発明で使用する係止具の一例を示す平面図である。
【符号の説明】
【００２２】
１            軒樋
１１、１２    耳部
２            軒樋吊具
２１、２２    耳保持部
２３          上面板
３            筒状ネット体
４、４ａ      係止具
４１          一端部
４３、４３ａ  通孔
４４、４４ａ  他端部
５            建物
５１          鼻隠し板
５２          軒先
【図１】
2005325571.tif 000003
【図２】
2005325571.tif 000004